(57)【要約】【課題】厚さの薄い被結束物であってもテープの掛かる両サイドを屈曲させることなく、その形態を維持できて帯掛作業を円滑かつ有効に行なうことができる帯掛機及び被結束物ガイド装置を提供すること。【解決手段】帯掛機において、１対の被結束物ガイド部材２１，２２を帯掛機本体の上面を形成するテーブル７上にテープガイドの長さ方向に位置調整可能に設け、これらガイド部材のテープガイドと重合する先端部を受板１５よりやや上方の通常位置から該位置より上方の動作位置に持ち上げ可能に、かつ持ち上げにより相対向する側に接近可能にヒンジ３８，３９で枢支されたガイド部３６，３７に形成したことを特徴とする。【選択図】　　　図２
2004018059.tif 000002
【特許請求の範囲】
【請求項１】
ループ状のテープガイドと直交する向きに進退可能に設けられた被結束物載置用の受板を具え、前記テープガイドに沿って送り出したテープによって被結束物と受板の周りにテープのループを形成するとともに、該テープの始端部と終端部を挟んで密接させ固着した後、前記受板を後退させてテープ掛けした被結束物を取り出すようにした帯掛機において、１対の被結束物ガイド部材を帯掛機本体の上面を形成するテーブル上にテープガイドの長さ方向に位置調整可能に設け、これらガイド部材のテープガイドと重合する先端部を受板よりやや上方の通常位置から該位置より上方の動作位置に持ち上げ可能に、かつ持ち上げにより相対向する側に接近可能にヒンジで枢支されたガイド部に形成したことを特徴とする帯掛機。
【請求項２】
ガイド部が、外周面がガイド面となって水平向きで回転自在なローラを有している請求項１記載の帯掛機。
【請求項３】
ガイド部が、外向きに湾曲した円弧状のガイド面を有している請求項１記載の帯掛機。
【請求項４】
ループ状のテープガイドと直交する向きに進退可能に設けられた被結束物載置用の受板を具え、前記テープガイドに沿って送り出したテープによって被結束物と受板の周りにテープのループを形成するとともに、該テープの始端部と終端部を挟んで密接させ固着した後、前記受板を後退させてテープ掛けした被結束物を取り出すようにした帯掛機の本体上面を形成するテーブル上に着脱可能に取り付けられて用いられるものであって、テープガイドの長さ方向に位置調整可能な１対の被結束物ガイド部材を具え、これらガイド部材のテープガイドと重合する先端部を受板よりやや上方の通常位置から該位置より上方の動作位置に持ち上げ可能に、かつ持ち上げにより相対向する側に接近可能にヒンジで枢支されたガイド部に形成したことを特徴とする被結束物ガイド装置。
【請求項５】
ループ状のテープガイドと直交する向きに進退可能に設けられた被結束物載置用の受板を具え、前記テープガイドに沿って送り出したテープによって被結束物と受板の周りにテープのループを形成するとともに、該テープの始端部と終端部を挟んで密接させ固着した後、前記受板を後退させてテープ掛けした被結束物を取り出すようにした帯掛機の本体上面を形成するテーブル上に着脱可能に取り付けられて用いられるものであって、テープガイドの長さ方向に位置調整可能な１対の被結束物ガイド部材を具え、これらガイド部材のテープガイドと重合する先端部に回転ローラを装着し、該ローラの外周縁の一部に起立したガイド部を設け、このガイド部の内向きガイド面が被結束物と当接するように付勢する付勢部材を設けたことを特徴とする被結束物ガイド装置。
【発明の詳細な説明】
【０００１】
【発明の属する技術分野】
この発明は、各種の用紙、封筒等を多数重ね合わせた被結束物をテープで結束する帯掛機及び該帯掛機に用いられる被結束物ガイド装置に関するものである。
【０００２】
【従来の技術】
従来、この種の帯掛機として、例えば特開平１１−２６３３１２号に記載されているようなものが提案されている。この帯掛機は、ループ状のテープガイドと直交する向きに進退可能に設けられた被結束物載置用の受板を具え、前記テープガイドに沿って送り出したテープによって被結束物と受板の周りにテープのループを形成するとともに、該テープの始端部と終端部を挟んで密接させ固着した後、前記受板を後退させてテープ掛けした被結束物を取り出すように構成されている。
【０００３】
しかしながら、前記従来の帯掛機では被結束物として用紙、封筒をはじめ、雑誌、新聞などある程度の厚さのあるものはよいが、リーフレットなど厚さの薄いものを例えば１０枚程度、テープで結わえるときには、その形態を維持できなくてテープの掛かる両サイドを屈曲させてしまい、帯掛作業を円滑かつ有効に行い難いという問題点があった。
【０００４】
【発明が解決しようとする課題】
そこでこの発明は、前記のような従来の問題点を解決し、厚さの薄い被結束物であってもテープの掛かる両サイドを屈曲させることなく、その形態を維持できて帯掛作業を円滑かつ有効に行なうことができる帯掛機及び被結束物ガイド装置を提供することを目的とする。
【０００５】
【課題を解決するための手段】
前記の目的を達成するため、請求項１の発明は、ループ状のテープガイドと直交する向きに進退可能に設けられた被結束物載置用の受板を具え、前記テープガイドに沿って送り出したテープによって被結束物と受板の周りにテープのループを形成するとともに、該テープの始端部と終端部を挟んで密接させ固着した後、前記受板を後退させてテープ掛けした被結束物を取り出すようにした帯掛機において、１対の被結束物ガイド部材を帯掛機本体の上面を形成するテーブル上にテープガイドの長さ方向に位置調整可能に設け、これらガイド部材のテープガイドと重合する先端部を受板よりやや上方の通常位置から該位置より上方の動作位置に持ち上げ可能に、かつ持ち上げにより相対向する側に接近可能にヒンジで枢支されたガイド部に形成したことを特徴とする。
【０００６】
請求項２の発明は、請求項１において、ガイド部が、外周面がガイド面となって水平向きで回転自在なローラを有していることを特徴とする。請求項３の発明は、請求項１において、ガイド部が、外向きに湾曲した円弧状のガイド面を有していることを特徴とする。
【０００７】
請求項４の発明は、ループ状のテープガイドと直交する向きに進退可能に設けられた被結束物載置用の受板を具え、前記テープガイドに沿って送り出したテープによって被結束物と受板の周りにテープのループを形成するとともに、該テープの始端部と終端部を挟んで密接させ固着した後、前記受板を後退させてテープ掛けした被結束物を取り出すようにした帯掛機の本体上面を形成するテーブル上に着脱可能に取り付けられて用いられる被結束物ガイド装置であって、テープガイドの長さ方向に位置調整可能な１対の被結束物ガイド部材を具え、これらガイド部材のテープガイドと重合する先端部を受板よりやや上方の通常位置から該位置より上方の動作位置に持ち上げ可能に、かつ持ち上げにより相対向する側に接近可能にヒンジで枢支されたガイド部に形成したことを特徴とする。
【０００８】
請求項５の発明は、ループ状のテープガイドと直交する向きに進退可能に設けられた被結束物載置用の受板を具え、前記テープガイドに沿って送り出したテープによって被結束物と受板の周りにテープのループを形成するとともに、該テープの始端部と終端部を挟んで密接させ固着した後、前記受板を後退させてテープ掛けした被結束物を取り出すようにした帯掛機の本体上面を形成するテーブル上に着脱可能に取り付けられて用いられる被結束物ガイド装置であって、テープガイドの長さ方向に位置調整可能な１対の被結束物ガイド部材を具え、これらガイド部材のテープガイドと重合する先端部に回転ローラを装着し、該ローラの外周縁の一部に起立したガイド部を設け、このガイド部の内向きガイド面が被結束物と当接するように付勢する付勢部材を設けたことを特徴とする。
【０００９】
【発明の実施の形態】
この発明の実施の形態を、添付図面を参照して説明する。図１，２は実施の形態１を示す。図１は帯掛機の正面図、図２は同平面図であり、帯掛機１において後記する被結束物ガイド装置以外は従来例として示したものとほぼ同様な構成となっている。
【００１０】
すなわち、帯掛機１は直方体形状の本体２の両側部にアーム３，４を有し、該両アームの上端間は連結部５で連結されている。これら本体２、アーム３，４及び連結部５によって囲まれた部分が方形の透孔６に形成されている。本体２の上面を形成するテーブル７上にはテープ８の送り出し及び引き戻し用の通過溝１０がアーム３，４間にわたって形成されている。通過溝１０と上下に重なるように連結部５の内側面にも通過溝１１が形成されている。また、通過溝１０及び通過溝１１と連続するようにアーム３，４の内側面にも通過溝１２，１３が形成され、これら通過溝１０，１１，１２，１３によりループ状のテープガイド１４が構成される。１５はテーブル７下の本体２内に収納されている被結束物１６載置用の受板で、図示しない作動部材により前後に進退可能になっていて、被結束物１６をセットするときに前進位置となり、テープ掛けが終わった被結束物１６をテーブル７上から他所に移動するときに後退位置となる。
【００１１】
２１，２２は１対の被結束物ガイド部材であり、テーブル７上に被結束物１６の幅に相当する間隔をおいて配置されている。ガイド部材２１，２２はそれぞれＬ型に折り曲げ形成された水平の第１の板２３，２４と垂直の第２の板２５，２６、水平の第３の板２７，２８と垂直の第４の板３０，３１を具え、第１の板２３，２４は長溝３０，３１を有し、該溝を通してテーブル７に螺合したボルト３２，３３を調整することによりその位置がテープガイド１４の長さ方向に調整可能となっている。第４の板３０，３１は第２の板２５，２６に第３の板２７，２８が第１の板２３，２４よりやや上方位置となるように溶接等により固着されている。
【００１２】
第３の板２７，２８の前方（図２で手前側）となる先端部にはこれとは別体のガイド部３６，３７が配置され、このガイド部３６，３７はヒンジ３８，３９で第３の板２７，２８に枢支され、受板１５よりやや上方の通常位置から該位置より上方の動作位置に持ち上げが可能となっている。ガイド部３６，３７の通常位置は、第３の板２７，２８と同一水平となる位置であり、この位置は例えばヒンジ３８，３９に設けた図示しないストッパで維持される。また、ヒンジ３８，３９によって枢支されたガイド部３６，３７と第３の板２７，２８の対向端縁は図２のようにテーパ状に形成され、これによりガイド部３６，３７はその持ち上げにより相対向する側に接近が可能となっている。ガイド部３６，３７の先端にはテープガイド１４と重合する位置に回転ローラ４０，４１が装着されている。４３，４４はガイド部材２１に取り付けられた垂直の第５の板と垂直の第６の板であり、第５の板４３は図示しない長溝を有し、該溝を通して第２の板２５に螺合したボルト４５を調整することによりその位置がテープガイド１４の長さ方向と直交する方向に調整可能となっている。
【００１３】
前記のような帯掛機１により被結束物１６をテープ８により結束するには、被結束物１６の大きさに応じてガイド部材２１，２２の位置を調整する。すなわち、ローラ４０のガイド面となる外向き外周面とローラ４１のガイド面となる外向き外周面の間隔が被結束物１６の横幅と合うようにボルト３２，３３と長溝３０，３１によりその位置を調整し、かつローラ４０，４１に被結束物１６の縦幅の中間部が位置するようにボルト４５と長溝によりその位置を調整する。このように位置調整したガイド部材２１，２２間の所定位置に被結束物１６を受板１５上に載置してセットすると、被結束物１６はその結束される縦幅の中間部の両サイドがローラ４０，４１のガイド面とほぼ面一の状態となる。
【００１４】
被結束物１６のセット完了とともに、図示しないスタートボタンをオンするか、又は自動スタートにより、図示しない機構によりテープ８をテーブル７上に送り出し、ループを作る。そして、そのテープ８を被結束物１６及び受板１５に密着させ、図示しないヒータと受板１５とでテープ８の始端部と後端部を挟み、溶着させ固着する。この状態を拡大して示したのが図３である。しかる後、受板１５を後退させて、テープ８が掛けられた被結束物１６を取り出す。
【００１５】
この被結束物１６のテープ８による結束に際し、被結束物１６の両サイドがローラ４０，４１のガイド面によりしっかりとガイドされるので、被結束物１６として厚さの薄いものであっても、十分にその形態を維持できて、従来のようにテープの掛かる両サイドが屈曲するようなことがない。そして、テープ８が掛けられた被結束物１６をガイド部材２１，２２から外して取り出す際には、被結束物１６をそのまま手前側に引くようにすると、テープ８とガイド面で接触するローラ４０，４１が回転してスムーズな取り出しを可能とする。また、これだけでなくローラ４０，４１が取り付けられているガイド部３６，３７を少し上方に持ち上げてやると、ガイド部３６，３７がヒンジ３８，３９を介して相対向する内向きに折れてローラ４０，４１間が狭くなり、これによりそれまでテープ８と接しているローラ４０，４１のガイド面が接触しなくなって、よりスムーズな取り出しを可能とする。
【００１６】
図４は実施の形態２を示し、この実施の形態で実施の形態１と相違するところは、第３の板２７，２８にあるガイド部３６，３７の先端に回転ローラ４０，４１が装着されておらず、該ローラの外周面と重なり合うように先端が外向きに湾曲した円弧状のガイド面５０，５１に形成されている点である。
【００１７】
この実施の形態においてもローラ４０，４１の外周面（ガイド面）に代わるガイド面５０，５１によって被結束物１６の両サイドがしっかりとガイドされるので、厚さの薄い被結束物１６であっても、十分にその形態を維持できる。また、テープ８と接触するガイド面５０，５１によりスムーズな取り出しを可能とする。さらに、ガイド部３６，３７を少し上方に持ち上げてやると、ガイド部３６，３７がヒンジ３８，３９を介して相対向する内向きに折れてガイド面５０，５１間が狭くなり、これによりそれまでテープ８と接している先端のガイド面５０，５１が接触しなくなって、スムーズが後退を可能とし、前記と同様な作用を期待することができる。
【００１８】
図５は実施の形態３を示し、この実施の形態で実施の形態１，２と相違するところは、第３の板５３，５４の先端に回転ローラ５７，５８が装着されてはいるが、該ローラのある部分がヒンジにより折り曲げ可能にはなっておらず、第３の板５３，５４と一体に形成されている点、ローラ５７，５８の外周縁の一部に起立したガイド部６０，６１が一体に設けられている点、このガイド部の内向きガイド面が被結束物１６の両サイドと当接するように付勢するばね６２，６３が設けられている点である。
【００１９】
この実施の形態においてもローラ５７，５８のガイド部６０，６１のガイド面によって被結束物１６の両サイドがしっかりとガイドされるので、厚さの薄い被結束物１６であっても、十分にその形態を維持できる。特に、薄い被結束物１６の両サイドのめくれ上がりや、つぶれ防止に効果がある。また、テープ８と接触するローラ５７，５８が回転してスムーズな取り出しを可能とし、前記と同様な作用を期待することができる。尚、この場合には被結束物１６の取り出しが完了すると、ばね６２，６３の力によりローラ５７，５８が、ガイド部６０，６１のガイド面が被結束物１６の両サイドと当接するように元の位置に戻り、待機することになる。
【００２０】
前記各実施の形態はそれぞれ好ましい一例を示したにすぎず、ガイド部材２１，２２の具体的な構成などについては、請求項に記載した範囲内でその実施に際して種々の変形態様で実施することができる。また、ガイド装置としては、既存の帯掛機に対しても本体２のテーブル７にボルト３４，３５装着用の部材を取り付けるなどの簡単な改造を施すだけで適用が可能である。
【００２１】
【発明の効果】
請求項１ないし３の発明は前記のような構成からなるので、厚さの薄い被結束物であっても、ガイド部材のガイド部によるガイドにより、テープの掛かる両サイドを屈曲させることなく、その形態を維持できて帯掛作業を円滑かつ有効に行なうことができる。請求項４，５の発明は前記のような構成からなるので、帯掛機に簡単に取り付けることにより前記のような作用効果をもたらすことができる。また、既存の帯掛機に対しても簡単な改造を施すだけで適用が可能で、きわめて利便性が高いという優れた効果がある。
【図面の簡単な説明】
【図１】この発明の実施の形態１を示す、帯掛機の正面図である。
【図２】同上の平面図である。
【図３】作用を示す要部の拡大正面図である。
【図４】実施の形態２を示す、要部の拡大平面図である。
【図５】実施の形態３を示し、（Ａ）は要部の拡大平面図、（Ｂ）は要部の拡大正面図である。
【符号の説明】
１　帯掛機　　　　　　　　　　　　　　２　本体
３，４　アーム　　　　　　　　　　　　５　連結部
６　透孔　　　　　　　　　　　　　　　７　テーブル
８　テープ　　　　　　　　　　　　　　１０，１１，１２，１３，　通過溝
１４　テープガイド　　　　　　　　　　１５　受板
１６　被結束物　　　　　　　　　　　　２１，２２　被結束物ガイド部材
３６，３７　ガイド部　　　　　　　　　３８，３９　ヒンジ
４０，４１　回転ローラ
【図１】
2004018059.tif 000003
【図２】
2004018059.tif 000004
【図３】
2004018059.tif 000005
【図４】
2004018059.tif 000006
【図５】
2004018059.tif 000007